(57)【要約】【課題】遠心油圧の影響を受けずに高い動力伝達効率が得られ、しかも減速機自体の軸方向長さを短縮でき、車両への搭載性を低下させることがない摩擦ローラ式減速機及びこれを用いた減速機ユニットを提供する。【解決手段】摩擦ローラ式減速機は、可動サンローラ素子３５と固定サンローラ素子３７からなるサンローラ１５と、リングローラ１７と、複数の中間ローラ１９と、ローディングディスク２４とを備える。サンローラ１５と中間ローラ１９との転がり接触面は、サンローラ素子の対向側端面４１，４３から外側端面４５，４７に向かって、入力軸１１までの半径距離が長くなる傾斜面である。可動サンローラ素子３５とローディングディスクとの間に主油室８９が形成され、可動サンローラ素子３５と固定サンローラ素子３７との間に、遠心油圧を低減させる軸方向力を発生するキャンセラ油室９１が形成される。【選択図】図２
2018189206.tif 000002
【特許請求の範囲】
【請求項１】
入力軸と同心に配置されるサンローラと、前記サンローラの外周側に前記サンローラと同心に配置され、出力軸に連結されるリングローラと、前記サンローラの外周面と前記リングローラの内周面に転がり接触する複数の中間ローラと、を備える摩擦ローラ式減速機であって、
前記サンローラは、前記入力軸の軸方向に並設された一対のサンローラ素子を有し、
前記サンローラ素子の転がり接触面と前記中間ローラの転がり接触面は、前記サンローラ素子同士の対向側端面から軸方向反対側の外側端面に向かって、前記入力軸の中心線までの半径距離が長くなる傾斜面であり、
一方の前記サンローラ素子は、前記入力軸に対して軸方向に移動可能、且つ回転不能に支持された可動サンローラ素子であり、
他方の前記サンローラ素子は、前記入力軸に対して軸方向に移動不能、且つ回転不能に支持された固定サンローラ素子であり、
前記可動サンローラ素子の前記固定サンローラ素子側と反対側の軸方向外側端面に対向して配置され、前記入力軸の回転を前記可動サンローラ素子に伝達し、前記可動サンローラ素子の外周面と前記入力軸の外周面に摺動可能なローディングディスクを有し、
前記可動サンローラ素子の軸方向外側端面と、前記軸方向外側端面に対面する前記ローディングディスクの片側端面との間に、トラクション油の供給によって、前記可動サンローラ素子を前記固定サンローラ素子に接近させる軸方向力を発生する主油室が形成され、
前記可動サンローラ素子と前記固定サンローラ素子との間に、トラクション油が供給され、前記入力軸の回転によって前記主油室に発生する遠心油圧を低減させる軸方向力を発生するキャンセラ油室が形成された摩擦ローラ式減速機。
【請求項２】
前記主油室と前記キャンセラ油室は、前記入力軸の径方向外側に画成された円環状の空間である請求項１に記載の摩擦ローラ式減速機。
【請求項３】
前記入力軸は、前記主油室に連通する第１油路と、前記キャンセラ油室に連通する第２油路とが個別に設けられている請求項１又は請求項２に記載の摩擦ローラ式減速機。
【請求項４】
一対の前記サンローラ素子の一方は、前記対向側端面の外周部から他方の前記サンローラ素子に向けて円筒状の外径側円筒部が軸方向に突出して形成され、
前記キャンセラ油室は、前記外径側円筒部の内周面に、他方の前記サンローラ素子の外周面が内嵌されて画成された請求項１〜請求項３のいずれか一項に記載の摩擦ローラ式減速機。
【請求項５】
請求項１〜請求項４のいずれか一項に記載の摩擦ローラ式減速機と、
前記主油室と前記キャンセラ油室のそれぞれにトラクション油を個別に供給する油圧供給部と、
前記摩擦ローラ式減速機の運転条件を検出する運転条件検出部と、
検出された前記運転条件に応じて前記主油室の油圧を増減させる圧力制御部と、
を備える減速機ユニット。
【請求項６】
前記運転条件は、前記転がり接触面におけるトラクション油の温度、前記摩擦ローラ式減速機を通過する伝達トルクのいずれかを含む請求項５に記載の減速機ユニット。
【発明の詳細な説明】
【技術分野】
【０００１】
本発明は、摩擦ローラ式減速機及びこれを用いた減速機ユニットに関する。
【背景技術】
【０００２】
電気自動車の駆動源となる電動モータの出力軸に接続され、モータ出力軸の回転を減速して駆動輪に伝達する摩擦ローラ式減速機が知られている（例えば特許文献１，２）。この摩擦ローラ式減速機は、図１０（Ａ），（Ｂ）に一例として示すように、モータ出力軸に接続される入力軸３０１に取り付けられたサンローラ３０３と、サンローラ３０３の外周面に転がり接触する複数の中間ローラ３０５と、サンローラ３０３と同心に配置され内周面に中間ローラ３０５が転がり接触するリングローラ３０７と、ローディングカム機構３０９と、を有する。リングローラ３０７は減速機の出力軸に接続される。上記構成の摩擦ローラ式減速機は、サンローラ３０３が、電動モータからの回転トルクを、中間ローラ３０５を介してリングローラ３０７に伝達する。このリングローラ３０７の回転トルクが減速機の出力軸から取り出される。
【０００３】
図示例のサンローラ３０３は、一対のサンローラ素子３１１，３１３からなる。一方のサンローラ素子３１１は、入力軸３０１に固定される。他方のサンローラ素子３１３は、入力軸３０１に回転方向に関して固定され、軸方向に関して移動可能に支持される。サンローラ素子３１３のサンローラ素子３１１と反対側の背面には、ローディングディスク３１５が配置される。このローディングディスク３１５は、入力軸３０１に固定される。サンローラ素子３１３の背面と、この背面に対面するローディングディスク３１５の片側端面には、それぞれカム溝３１７，３１９が形成され、カム溝３１７，３１９の間に玉３２１が配置される。このローディングカム機構３０９により、入力軸３０１からの回転トルクが増大するほど、サンローラ素子３１３の軸方向移動に伴う中間ローラ３０５へのトラクション面法線方向の法線力が高められる。
【０００４】
上記のローディングカム機構３０９は、サンローラ３０３の軸方向片側のみに配置されているが、図１１に示すように、カム溝３１７が形成されたサンローラ素子３１４に対面してローディングカム機構３０９Ａが配置され、サンローラ素子３１３に対面してローディングカム機構３０９Ｂが配置された構成、つまり、サンローラ素子３１３，３１４からなるサンローラ３０３Ａの軸方向両側にローディングカム機構３０９Ａ，３０９Ｂが配置された構成にもできる。
【先行技術文献】
【特許文献】
【０００５】
【特許文献１】特開２０１２−２０７７７８号公報
【特許文献２】特開２０１４−１９０５３７号公報
【発明の概要】
【発明が解決しようとする課題】
【０００６】
サンローラ素子に軸方向力を付与する機構としては、上記した図１０（Ａ），（Ｂ）や図１１に示すローディングカム機構のようなトルク感応式や、バネによる固定押付式の機構が多く採用される。ローディングカム機構の場合、伝達トルクの低トルク領域における最低限の軸方向力を確保するために、バネとローディングカムとを組み合わせて用いる形式が多い。
このローディングカム機構は、いかなる運転条件であっても、設計時に決められたトラクション係数に基づいて通過トルクに比例した軸方向力を発生させるため、ロバスト性が高い。しかし、ローディングカム機構のような機械式ローディングデバイスにおいては、使用温度や通過トルク等の運転条件の変化に応じてトラクション係数の変更ができない不利がある。
自動車用途の摩擦ローラ式減速機は，使用温度や通過トルク等の運転条件が常に変化し、トラクション面のグロススリップ発生限界となる限界トラクション係数も常に変化する。トラクション係数が限界トラクション係数を超えた場合、トラクション面にはグロススリップが発生し、特に通過動力等が過酷となる条件下では、焼付き等の破損を生ずるおそれがある。
そこで、上記の機械式ローディングデバイスにおいては、運転時のトラクション係数が、常に変化する限界トラクション係数を超えないように、相当の余裕を見込んで設計トラクション係数を決定している。
【０００７】
一般に、トラクション油のトラクションカーブ（横軸をクリープ、縦軸をトラクション係数とした特性カーブ）において、設計トラクション係数をトラクションカーブが比例関係にある領域内に定めている場合が多い。この比例領域内では、トラクション係数が高いほど軸方向力が減少するため、動力伝達効率が向上する。そのため、トルク感応型の機械式ローディングデバイスにおいては、上記の通りグロススリップ発生限界に対して十分な余裕を見込む必要があるため、動力伝達効率の向上には改善の余地があった。
【０００８】
また、動力伝達効率を改善するためには、運転条件に応じて、伝達トルクだけでなく、運転時のトラクション油の温度や、その他の要因を加味して軸方向力を任意に調整できる油圧式を採用することが好ましい。
しかしながら、油圧式ローディングデバイスを採用した場合、回転速度に依存した遠心油圧が発生する。この遠心油圧は、回転速度の２乗に比例し、トラクション油の質量に比例した軸方向力を発生させる。その影響により、特に、低トルク、高回転速度の領域において、トラクション面に必要な押付力以上に遠心油圧が作用して、押付力の過剰による動力伝達効率の低下が発生する場合がある。
このような影響を排除するために、主油室と隣り合う位置に、主油室に作用する遠心力をキャンセルするキャセラ油室を設ける場合がある。その場合、主油室は通常、２個のサンローラ素子同士の軸方向外側に配置される。しかし、上記主油室を設けた上でキャンセラ油室を更に設けようとすると、摩擦ローラ式減速機の軸方向長さが大きくなることが避けられない。その結果、摩擦ローラ式減速機のレイアウトの自由度が損なわれ、車両への搭載性が低下するおそれがある。
【０００９】
そこで本発明は、油圧式ローディングデバイスを採用した場合でも遠心油圧の影響を受けずに高い動力伝達効率が得られ、しかも減速機自体の軸方向長さを短縮でき、車両への搭載性を低下させることがない摩擦ローラ式減速機及びこれを用いた減速機ユニットの提供を目的とする。
【課題を解決するための手段】
【００１０】
本発明は下記構成からなる。
（１）  入力軸と同心に配置されるサンローラと、前記サンローラの外周側に前記サンローラと同心に配置され、出力軸に連結されるリングローラと、前記サンローラの外周面と前記リングローラの内周面に転がり接触する複数の中間ローラと、を備える摩擦ローラ式減速機であって、
前記サンローラは、前記入力軸の軸方向に並設された一対のサンローラ素子を有し、
前記サンローラ素子の転がり接触面と前記中間ローラの転がり接触面は、前記サンローラ素子同士の対向側端面から軸方向反対側の外側端面に向かって、前記入力軸の中心線までの半径距離が長くなる傾斜面であり、
一方の前記サンローラ素子は、前記入力軸に対して軸方向に移動可能、且つ回転不能に支持された可動サンローラ素子であり、
他方の前記サンローラ素子は、前記入力軸に対して軸方向に移動不能、且つ回転不能に支持された固定サンローラ素子であり、
前記可動サンローラ素子の前記固定サンローラ素子側と反対側の軸方向外側端面に対向して配置され、前記入力軸の回転を前記可動サンローラ素子に伝達し、前記可動サンローラ素子の外周面と前記入力軸の外周面に摺動可能なローディングディスクを有し、
前記可動サンローラ素子の軸方向外側端面と、前記軸方向外側端面に対面する前記ローディングディスクの片側端面との間に、トラクション油の供給によって、前記可動サンローラ素子を前記固定サンローラ素子に接近させる軸方向力を発生する主油室が形成され、
前記可動サンローラ素子と前記固定サンローラ素子との間に、トラクション油が供給され、前記入力軸の回転によって前記主油室に発生する遠心油圧を低減させる軸方向力を発生するキャンセラ油室が形成された摩擦ローラ式減速機。
（２）  上記の摩擦ローラ式減速機と、
前記主油室と前記キャンセラ油室のそれぞれにトラクション油を個別に供給する油圧供給部と、
前記摩擦ローラ式減速機の運転条件を検出する運転条件検出部と、
検出された前記運転条件に応じて前記主油室の油圧を増減させる圧力制御部と、
を備える減速機ユニット。
【発明の効果】
【００１１】
本発明は、油圧式ローディングデバイスを採用した場合でも遠心油圧の影響を受けずに高い動力伝達効率が得られ、しかも減速機自体の軸方向長さを短縮でき、車両への搭載性を低下させることがない。
【図面の簡単な説明】
【００１２】
【図１】本発明の摩擦ローラ式減速機の一部断面斜視図である。
【図２】図１に示す摩擦ローラ式減速機の要部拡大図である。
【図３】図２に示すＡ−Ａ線の断面図である。
【図４】入力軸に支持されるサンローラ素子とローディングディスクの要部断面図である。
【図５】主油室とキャンセラ油室の部分拡大断面図である。
【図６】（Ａ），（Ｂ）はサンローラ素子の軸方向位置を主油室の油圧によって変更する様子を示す説明図である。
【図７】駆動ローラと従動ローラに作用する法線力と接線力との関係を示す説明図である。
【図８】トラクション油の温度に対するトラクション係数の特性カーブを示すグラフである。
【図９】減速機ユニットの概略的なブロック構成図である。
【図１０】（Ａ），（Ｂ）は従来のローディングカム機構の模式的な動作説明図である。
【図１１】従来の他のローディングカム機構の模式的な動作説明図である。
【発明を実施するための形態】
【００１３】
以下、本発明の実施形態について、図面を参照して詳細に説明する。
＜摩擦ローラ式減速機の基本構成＞
図１は本発明の摩擦ローラ式減速機の一部断面斜視図、図２は図１に示す摩擦ローラ式減速機の要部拡大図である。
摩擦ローラ式減速機１００は、動力を発生するモータ（不図示）に接続される入力軸１１と、出力軸１３とが同心に配置され、入力軸１１から入力される回転動力を出力軸１３に減速しながら伝達する。この摩擦ローラ式減速機１００は、入力軸１１と同軸上に配置されるサンローラ１５と、リングローラ１７と、複数（本構では一例として３個）の中間ローラ１９と、ローディングディスク２４とを備える。リングローラ１７は、リングローラホルダ２１によって出力軸１３と連結される。また、中間ローラ１９は、サンローラ１５の外周面とリングローラ１７の内周面に転がり接触し、揺動ホルダ２５、キャリア２７を介してハウジング２０に支持される。
【００１４】
中間ローラ１９は、中間ローラ１９の中心軸上に延設される支持軸２２の両端部が、転がり軸受２３を介して揺動ホルダ２５に支持される。揺動ホルダ２５は、支持軸２２を入力軸１１と平行にした状態で、軸方向に関して移動可能にキャリア２７に支持される。キャリア２７は、上記構成の中間ローラ１９を支持する複数の揺動ホルダ２５を、円周方向に沿って等間隔の配置位置で支持する。
【００１５】
リングローラ１７は、ハウジング２０に対して軸方向に関して固定される。また、中間ローラ１９は、キャリア２７と揺動ホルダ２５との軸方向移動によって、軸方向に関して移動自在に支持される。
【００１６】
ローディングディスク２４は、略円筒状に形成され、円筒の軸方向一端部２４ａがサンローラ素子３５の軸方向外側の外周面を覆い、円筒の軸方向他端部２４ｂが入力軸１１の基端側大径部１１ａを覆って配置される。また、円筒の軸方向中央には径方向内側に向かって突出する環状のフランジ部２４ｃが形成される。フランジ部２４ｃの軸方向一方の端面は、サンローラ素子３５の外側端面４５に対面する。
【００１７】
＜摩擦ローラ式減速機の各部の詳細＞
次に、摩擦ローラ式減速機１００の各部の構成を順次説明する。
サンローラ１５は、図２に示すように、入力軸１１の中心線Ａｘに沿った方向（以下、軸方向とも称する）に並設された一対のサンローラ素子３５，３７を有する。サンローラ素子３５，３７は、軸方向に対面し合う対向側端面４１，４３の間に隙間を設けた状態で、互いに入力軸１１と同心に配置される。
【００１８】
サンローラ素子３５，３７の転がり接触面３５ａ，３７ａは、サンローラ素子同士の互いに対向する対向側端面４１，４３から軸方向反対側の外側端面４５，４７に向かって、入力軸１１の中心線Ａｘまでの半径距離が長くなる傾斜面にされている。また、中間ローラ１９のサンローラ素子３５，３７との転がり接触面１９ａも同様に、軸方向中央から軸方向端部に向かって半径距離が長くなる曲面形状にされている。
【００１９】
図３は図２に示すＡ−Ａ線の断面図である。
サンローラ素子３５は、軸方向外側の内周面３５ｂにスプライン溝を有し、入力軸１１は、サンローラ素子３５の内周面３５ｂに対面する外周面５１にスプライン溝を有する。サンローラ素子３５は、これらスプライン溝の係合によって、回転方向に固定され、軸方向移動が可能な状態で入力軸１１に支持される可動サンローラ素子である。一方、サンローラ素子３７は、軸方向外側の内周面３７ｂのスプライン溝と、入力軸１１におけるサンローラ素子３７の内周面３７ｂに対面する外周面５３のスプライン溝との係合によって、回転方向に固定された状態で入力軸１１に支持される固定サンローラ素子である。
【００２０】
入力軸１１のサンローラ素子３７よりも軸方向外側の外周には、止め輪４８が固定される。コッター５２は、サンローラ素子３７の外側端面４７に当接した状態で入力軸１１に固定される。コッター５２は、径方向外側がコッターカバー５４によって保持される。止め輪４８は、コッターカバー５４を軸方向に規制する。よって、サンローラ素子３７はコッター５２と止め輪４８によって軸方向移動が規制される。
【００２１】
また、ローディングディスク２４は、軸方向一端部２４ａの内周面２６にスプライン溝を有し、サンローラ素子３５は、軸方向外側の外周面に形成されたスプライン溝を有する。ローディングディスク２４は、これらスプライン溝の係合によって、回転方向に固定され、サンローラ素子３５に対する軸方向相対移動が可能となっている。
【００２２】
ローディングディスク２４は、軸方向他端部２４ｂの内周面も同様にスプライン溝を有し、入力軸１１の基端側大径部１１ａに形成されたスプライン溝と係合する。
【００２３】
上記構成により、入力軸１１からの回転トルクは、スプライン溝を介してサンローラ素子３５，３７に伝達される。また、サンローラ素子３５，３７の軸方向内側の内周面は、図示しない凹部と凸部とが係合するいんろう部を有する。これらスプライン溝といんろう部とが協働して、サンローラ素子３５，３７と入力軸１１との高精度な同軸が確保される。
【００２４】
本構成においては、入力軸１１からの回転トルクは、２個のサンローラ素子３５，３７に分割して流れ、３つの中間ローラ１９を介して、１つのリングローラ１７に伝達される。つまり、入力軸１１から中間ローラ１９への動力伝達経路は２系統存在する。第１の経路は、入力軸１１からスプライン溝を介してローディングディスク２４に伝達され、ローディングディスク２４からスプライン溝を介してサンローラ素子３５に伝達され、サンローラ素子３５の転がり接触面３５ａから中間ローラ１９に伝達される経路である。第２の経路は、入力軸１１からスプライン溝を介してサンローラ素子３７に伝達され、サンローラ素子３７の転がり接触面３７ａから中間ローラ１９に伝達される経路である。
【００２５】
摩擦ローラ式減速機１００においては、動力伝達を直接担う、サンローラ１５、リングローラ１７、中間ローラ１９、ローディングディスク２４の４要素のうち、１要素は軸方向に固定し、３要素は軸方向に可動に設置されていることが好ましい。２要素以上が軸方向に拘束されている場合、主油室８９（図４）に発生した軸方向力が、上記４要素のいずれかの支持部材で拘束されるため、リングローラ１７のトラクション面に法線方向力が十分作用しなくなる。つまり、トラクション面では、軸方向力がトラクション面に対する法線方向力に変換されてしまい、主油室８９で発生した軸方向力は、リングローラ１７のトラクション面に法線方向力として作用するためである。
【００２６】
本構成の摩擦ローラ式減速機１００においては、リングローラ１７は軸方向に固定、中間ローラ１９は軸方向に可動、サンローラ１５の一方のサンローラ素子３５は軸方向に可動、他方のサンローラ素子３７は軸方向に固定、ローディングディスク２４は軸方向に可動に設置されている。つまり、リングローラ１７とサンローラ素子３７の２要素が軸方向に固定されている。しかし、リングローラ１７は、リングローラ１７と中間ローラ１９とのトラクション面が、２部品の軸方向移動が可能な形状に形成されている。そのため、軸方向の拘束という観点からいえば、リングローラ１７は軸方向に可動とみなせる。よって、本構成においては、サンローラ素子３７以外には軸方向力の拘束が生じない。
【００２７】
図４に示すように、サンローラ素子３７は、対向側端面４３の外周部からサンローラ素子３５に向けて軸方向に突出する内側円筒部５５が形成される。サンローラ素子３５の対向側端面４１側の外周面５７が内嵌される。内側円筒部５５の内周面５５ａとサンローラ素子３５の外周面５７は、それぞれ滑らかな円筒面で形成され、軸方法への円滑な相対移動が可能となっている。
【００２８】
サンローラ素子３５の外側端面４５とローディングディスク２４のフランジ部２４ｃとの間に画成される円環状の隙間は、サンローラ素子３５をサンローラ素子３７に接近させる軸方向力を発生する主油室８９となる。また、サンローラ素子３５の対向側端面４１とサンローラ素子３７の対向側端面４３との間の環状の隙間は、キャンセラ油室９１となる。
【００２９】
そして、図１に示すように、入力軸１１は、主油室８９に連通する第１油路９３と、キャンセラ油室９１に連通する第２油路９５とが個別に設けられる。第１油路９３は、入力軸１１のハウジング２０側（図１の左側）となる基端側に形成され、第１油路９３には第１油圧供給部９７が接続される。第２油路９５は、入力軸１１の先端側（図１の右側）に形成され、第２油路９５は、出力軸１３の軸心に形成された出力軸油路９４（図２）と接続される。この出力軸油路９４には、第２油圧供給部９９が接続される。第１油路９３は、入力軸１１に沿った油路から径方向に延びる分岐油路９３ａを介して主油室８９に接続される。第２油路９５は、入力軸１１に沿った油路から径方向に延びる分岐油路９５ａを介してキャンセラ油室９１に接続される。
【００３０】
第２油路９５は、出力軸１３の先端に設けられ、入力軸１１の先端を支持するニードル軸受１１１（図２）にトラクション油を供給する分岐油路１１３（図２）にも接続される。つまり、第２油路９５は、潤滑用の油を供給する油路と共通に形成され、油路構造を簡単化している。
【００３１】
第１油圧供給部９７と第２油圧供給部９９は、それぞれ油圧ポンプ等により構成される。油圧ポンプは電動式でもよく、ポンプ軸と駆動ユニットのいずれかの回転軸とを、本構成の摩擦ローラ式減速機１００と機械的に結合させた機械式であってもよい。第１油圧供給部９７は、第１油路９３を通じて主油室８９にトラクション油を供給して主油室８９の油圧を調整する。第２油圧供給部９９は、第２油路９５を通じてキャンセラ油室９１の油圧を調整する。
【００３２】
主油室８９とキャンセラ油室９１は、オイルシール等のシール部材６１によって外部と仕切られている。したがって、主油室８９への油圧力の付与時にトラクション油が漏洩することはない。同様に、キャンセラ油室９１からもトラクション油が漏洩することはない。
【００３３】
図５は主油室８９とキャンセラ油室９１の部分拡大断面図である。
主油室８９に充填されたトラクション油には、入力軸１１の回転速度に依存した遠心油圧ＣＦが生じる。この遠心油圧ＣＦは径方向外側ほど大きくなる。主油室８９に生じる遠心油圧ＣＦは、サンローラ素子３５に必要以上の軸方向力を付与して、動力伝達効率を低下させる要因となる。
【００３４】
本構成の遊星ローラ式減速機においては、主油室８９と同様に、トラクション油が充填され、遠心油圧ＣＦが発生するキャンセラ油室９１を設けてある。キャンセラ油室９１のトラクション油は、入力軸１１の回転によって遠心油圧を生じ、主油室８９から発生する遠心油圧を相殺する。これにより、完全ではないが主油室８９の遠心油圧をゼロに近い状態にしている（キャンセルさせる）。これら主油室８９とキャンセラ油室９１とは、入力軸１１の径方向外側に画成された円環状の空間である。主油室８９とキャンセラ油室９１とが円周方向に連続した空間であるため、バランス良く軸方向力を発生でき、円周方向に分散配置された場合よりも大きな軸方向力が得られる。
【００３５】
主油室８９には、図１に示す第１油圧供給部９７から第１油路９３を通じて油圧が付与される。キャンセラ油室９１には、第２油圧供給部９９から第２油路９５を通じて油圧が付与される。第１油路９３では、分岐油路９３ａを通じて主油室８９に油圧が付与される。また、第２油路９５は、分岐油路９５ａを通じてキャンセラ油室９１と連通している。
【００３６】
サンローラ素子３５，３７への軸方向力は、主油室８９の油圧をキャンセラ油室９１の油圧より大きくし、主油室８９の油圧とキャンセラ油室９１の油圧との差を生じさせることで付与される。つまり、サンローラ素子３５には主油室８９から外側端面４５に軸方向力が付与される。また、キャンセラ油室９１で発生する遠心油圧は、サンローラ素子３５の対向側端面４１に軸方向力を付与する。
【００３７】
主油室８９の遠心油圧によりサンローラ素子３５に向けて作用する軸方向力と、キャンセラ油室９１の遠心油圧による軸方向力とは逆向きの力である。そのため、主油室８９で発生した遠心油圧は、キャンセラ油室９１で発生した遠心油圧によってキャンセルされる。
【００３８】
図６（Ａ），（Ｂ）はサンローラ素子３５の軸方向位置を主油室８９の油圧によって変更する様子を示す説明図である。
図６（Ａ）に示すように、主油室８９の油圧が低い場合には、サンローラ素子３５には、ローディングディスク２４から離間する向きに必要最小限の軸方向力が作用する。そのため、サンローラ素子３５，３７の転がり接触面３５ａ，３７ａと、中間ローラ１９の転がり接触面１９ａとにそれぞれ作用する法線力は、転がり接触面間に存在するトラクション油をガラス遷移圧力以上にする最低限の力にされる。
【００３９】
つまり、この場合の主油室８９の油圧は、後述するトラクション面の面圧がガラス遷移圧力を超えるのに必要な最低限の力をサンローラ素子３５に付与する。ここで、ガラス遷移圧力とは、加圧流体のせん断応力が急激に上昇する圧力である。一対のローラ間の動力をトラクション面で伝達するためには、ローラ間に存在するトラクション油の圧力をガラス遷移圧力以上にする必要がある。一般に、このガラス遷移圧力は、ローラ間の接触点平均圧力で、概ね０．８ＧＰａ以上となる。
【００４０】
一方、図６（Ｂ）に示すように、第１油圧供給部９７（図１参照）が第１油路９３を通じて主油室８９の油圧を増加させると、サンローラ素子３５をローディングディスク２４から軸方向に離間させる軸方向力Ｆが発生する。この軸方向力Ｆによって、サンローラ１５、中間ローラ１９、リングローラ１７（図１参照）がそれぞれ弾性変形して、サンローラ素子３５が軸方向に移動する。
【００４１】
つまり、この状態では、傾斜面からなる転がり接触面１９ａ及び転がり接触面３５ａ，３７ａの当接面が、中間ローラ１９の軸方向外側、つまり、入力軸１１の径方向外側に移動して、各転がり接触面１９ａ，３５ａ，３７ａにおける法線力が増加した状態となる。
【００４２】
この場合、主油室８９の油圧の大きさに応じて、サンローラ１５と中間ローラ１９とリングローラ１７はそれぞれ弾性変形する。そして、２つのサンローラ素子３５，３７は、その弾性変形に追従するために、互いに近接する方向、即ち、主油室８９が広がる方向に変位する。
【００４３】
また、サンローラ素子３５の軸方向変位に応じて、キャンセラ油室９１の容積変化分のトラクション油が第２油圧供給部９９の駆動により調整される。この調整により、キャンセラ油室９１の静的な油圧が一定に維持される。
【００４４】
ここで、キャンセラ油室９１は、主油室８９と共に回転するため、キャンセラ油室９１に主油室８９と同程度の遠心油圧が発生する。
【００４５】
キャンセラ油室９１に発生した遠心油圧による軸方向力は、サンローラ素子３５に伝達される。このようにして、キャンセラ油室９１に作用する遠心油圧は、主油室８９に作用する遠心油圧の殆どをキャンセルする。そのため、サンローラ素子３５は、主油室８９に発生する遠心油圧に影響されずに、正確に軸方向に位置決めされる。
【００４６】
また、第１油圧供給部９７によって主油室８９の油圧を減少させると、再び図６（Ａ）に示すようにサンローラ素子３５がローディングディスク２４に向けて互いに接近する方向に変位し、各転がり接触面１９ａ，３５ａ，３７ａの法線力が減少する。
【００４７】
主油室８９の油圧を増減調整することで、各転がり接触面１９ａ，３５ａ，３７ａの法線力が増減し、これにより、各転がり接触面１９ａ，３５ａ，３７ａにおけるトラクション係数を、より限界トラクション係数に近づけることができる。
【００４８】
上記構成の摩擦ローラ式減速機１００によれば、主油室８９に供給する油圧力を、動力を発生するモータ（不図示）からの伝達動力、摩擦ローラ式減速機１００が伝達する伝達トルク、軸の回転速度、トラクション油の温度等、各種の運転条件に応じて適宜調整できる。このため、各ローラのトラクション係数を、動的に限界トラクション係数に近づけられ、その結果、各ローラに過剰な法線力が生じにくくなり、動力伝達効率の向上と、耐久寿命の向上が図れる。
【００４９】
また、上記構成の摩擦ローラ式減速機１００は、第１油圧供給部９７からトラクション油の圧力が主油室８９に供給されることで、一対のサンローラ素子３５，３７がそれぞれ軸方向に接近する方向の軸方向力が発生する。そして、主油室８９に発生する遠心油圧が、キャンセラ油室９１からの軸方向力によってキャンセルされる。つまり、サンローラ素子３５，３７を接近させる軸方向力を、主油室８９に生じる遠心油圧の影響をキャンセルしつつ発生させることで、サンローラ素子３５，３７に適切な法線力を生じさせることができる。更に、前述の図１０（Ａ），（Ｂ）や図１１に示すような、従前から用いられていたローディングカム機構を不要にできる。
【００５０】
本構成の摩擦ローラ式減速機１００によれば、ローディングカム機構を用いず、しかも、サンローラ素子３５，３７同士の間の隙間をキャンセラ油室９１として利用して、遠心油圧の影響を受けずに軸方向力を発生させている。これにより、摩擦ローラ式減速機１００を、動力伝達効率の高い構成にでき、しかも、従来よりも軸方向サイズを短縮でき、よりコンパクトで軽量な構成にできる。
【００５１】
＜減速機ユニットの構成と作用＞
次に、上記構成のサンローラ素子３５を、主油室８９からの軸方向力により駆動し、トラクション面の法線方向の法線力を、遠心油圧の影響を受けることなく、伝達トルクに比例して増減させる減速機ユニットの構成とその作用について説明する。
【００５２】
一般に、本構成の摩擦ローラ式減速機１００のようなトラクションドライブにおいては、トラクション面にグロススリップが発生することは、動力伝達面の損傷を伴うため回避する必要がある。トラクションドライブに使用されるトラクション油は、動力伝達点の温度、伝達トルク等に依存して、伝達可能なトルクの大きさが決定される。
【００５３】
ここで、伝達可能な最大トルクは、トルク作用点までの半径距離によらない接線力として考えると、下記（１）式で表現される。
【００５４】
【数１】
2018189206.tif 000003
【００５５】
Ｆtmax：伝達可能な最大接線力
Ｆc：法線力
μmax：限界トラクション係数
【００５６】
図７は駆動ローラと従動ローラに作用する法線力と接線力との関係を示す説明図である。
駆動ローラ７１から従動ローラ７３へ負荷される法線力Ｆａは、その反力として従動ローラ７３から法線力Ｆｃを生じさせる。この法線力Ｆｃに応じたトラクション面の接線力Ｆｔは、トラクション係数μと法線力Ｆｃの積として求められる。そこで、各ローラを駆動制御する場合には、伝達したいトルク（接線力Ｆｔ）に対して、運転時のトラクション係数μが限界トラクション係数μmaxを超えないように法線力Ｆｃを調整する。しかし、限界トラクション係数μmaxは、上記したように、動力伝達点の温度、伝達トルク等の運転条件によって変動する。
【００５７】
図８はトラクション油の温度に対するトラクション係数の特性カーブを示すグラフである。図中に実線で示すように、限界トラクション係数はトラクション油の温度に応じて増減する。従前のローディングカム機構のような機械式ローディングデバイスにおいては、トラクション係数が常に一定値となるため、トラクション油の温度が変化しても、設計トラクション係数が限界トラクション係数を超えないように設定される（破線参照）。しかし、トラクション油の温度によっては、設計トラクション係数と限界トラクション係数との差Δμが特に大きくなる領域がある。差Δμが大きい場合、法線力Ｆｃを過剰に発生させることになり、動力伝達効率の低下や耐久寿命の低下を招くことになる。
【００５８】
そこで、本構成の摩擦ローラ式減速機１００は、運転条件の変動に応じて、主油室８９からサンローラ素子３５への軸方向力を発生させ、法線力Ｆｃの増減調整を可能としている。そのため、一点鎖線で示すように調整後（修正後）のトラクション係数を、常に限界トラクション係数μmax近くに設定でき、動力伝達効率の向上や耐久寿命の向上に寄与できる。
【００５９】
より詳しくは、本構成の摩擦ローラ式減速機１００は、常温時（例えば０℃〜１００℃の範囲）では、最低限必要な押付力を付与して一定のトラクション係数μｃを得、高温時（例えば１００℃を超える温度）と低温時（例えば０℃未満の温度）では、主油室８９からサンローラ素子３５への軸方向力を発生させてトラクション係数を低減させ（低減されたトラクション係数をμ１，μ２で示す）、グロススリップの発生を抑制すると共に，特に常温領域での効率向上を実現する。上記の常温限界（高温、低温）の各温度は、油種、運転条件、装置構成に応じて予め定めておけばよい。
【００６０】
本構成の摩擦ローラ式減速機１００は、運転条件の変動に応じて、主油室８９からサンローラ素子３５への軸方向力を発生させ、法線力Ｆｃの増減調整を可能としている。そのため、トラクション係数μを、常に限界トラクション係数μmax近くに設定でき、動力伝達効率の向上や耐久寿命の向上に寄与できる。
【００６１】
次に、主油室８９の油圧を制御する具体的な減速機ユニットの構成とその作用について説明する。
図９は減速機ユニットの概略的なブロック構成図である。
減速機ユニット２００は、前述した第１油圧供給部９７、第２油圧供給部９９を含む摩擦ローラ式減速機１００と、トラクション油の温度を検出する油温センサ７５と、コントローラ７９と、記憶部８１と、を備える。
【００６２】
第１油圧供給部９７、第２油圧供給部９９は、コントローラ７９からの指令に基づいて、図１に示す入力軸１１に形成された第１油路９３、第２油路９５にトラクション油を供給する。これにより、主油室８９の油圧が増減駆動されると共に、キャンセラ油室９１に生じる遠心油圧によって、主油室８９に生じる遠心油圧がキャンセルされる。
【００６３】
油温センサ７５は、図示はしないが、図１に示すサンローラ１５の近傍に配置され、トラクション面付近のトラクション油の温度を検出する。油温センサ７５は、好ましくは、サンローラ素子３５，３７の転がり接触面３５ａ，３７ａに近い外表面に配置される。また、油温センサ７５は中間ローラ１９側に配置してもよい。
【００６４】
油温センサ７５からの出力信号は、コントローラ７９に入力される。また、コントローラ７９には、摩擦ローラ式減速機１００に接続される不図示のモータの駆動状況を表す信号（例えば、回転速度信号、モータ駆動電流やモータ駆動電圧を表す駆動信号等）の伝達トルク情報が入力されてもよい。油温センサ７５や各種の伝達トルク情報を出力する情報出力手段は、摩擦ローラ式減速機１００の運転条件を検出する運転条件検出部として機能する。
【００６５】
なお、トラクション面の面圧を、トラクション油の油圧を測定する適宜な油圧測定手段から推定し、推定されたトラクション面の面圧を、上記した運転条件の一つして扱うことも可能である。
【００６６】
コントローラ７９に接続される記憶部８１は、検出された運転条件に対応する主油室８９の油圧設定値が登録された駆動テーブルを記憶する。コントローラ７９は、入力された運転条件に基づいて記憶部８１の駆動テーブルを参照して、限界トラクション係数に近いトラクション係数が得られる油圧設定値を求める。コントローラ７９は、主油室８９の油圧が、求めた油圧設定値となるように、サンローラ素子３５を軸方向に駆動させる駆動信号を第１油圧供給部９７に出力する。
【００６７】
第１油圧供給部９７は、コントローラ７９からの駆動信号に基づき、図示しない油圧モータを駆動して、トラクション油を主油室８９に供給する。これにより、主油室８９の油圧が所望の圧力に調整され、トラクション面の法線力Ｆｃが過剰にならず、且つ、限界トラクション係数を超えない範囲に設定される。このように、上記の第１油圧供給部９７と、コントローラ７９は、主油室８９の油圧を増減させる圧力制御部として機能する。また、主油室８９に生じる遠心油圧は、キャンセラ油室９１に生じる遠心油圧によってキャンセルされる。
【００６８】
本構成の減速機ユニット２００によれば、経時的に変動する運転条件に応じて、限界トラクション係数を超えず、且つ、限界トラクション係数にできるだけ近いトラクション係数となるように、主油室８９の油圧が調整される。この主油室８９の油圧は、遠心油圧に影響されることはない。これにより、摩擦ローラ式減速機の動力伝達効率を向上させ、小型化軽量化が図れる。
【００６９】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
例えば、サンローラと入力軸との間の動力伝達手段は、角スプライン、ボールスプライン、インボリュートスプライン以外にも、キーとキー溝等、入力軸とサンローラとの同軸確保しつつ、動力伝達も可能で、且つ軸方向の相対移動を妨げないものであれば、任意の手段が適用可能である。
【００７０】
以上の通り、本明細書には次の事項が開示されている。
（１）  入力軸と同心に配置されるサンローラと、前記サンローラの外周側に前記サンローラと同心に配置され、出力軸に連結されるリングローラと、前記サンローラの外周面と前記リングローラの内周面に転がり接触する複数の中間ローラと、を備える摩擦ローラ式減速機であって、
前記サンローラは、前記入力軸の軸方向に並設された一対のサンローラ素子を有し、
前記サンローラ素子の転がり接触面と前記中間ローラの転がり接触面は、前記サンローラ素子同士の対向側端面から軸方向反対側の外側端面に向かって、前記入力軸の中心線までの半径距離が長くなる傾斜面であり、
一方の前記サンローラ素子は、前記入力軸に対して軸方向に移動可能、且つ回転不能に支持された可動サンローラ素子であり、
他方の前記サンローラ素子は、前記入力軸に対して軸方向に移動不能、且つ回転不能に支持された固定サンローラ素子であり、
前記可動サンローラ素子の前記固定サンローラ素子側と反対側の軸方向外側端面に対向して配置され、前記入力軸の回転を前記可動サンローラ素子に伝達し、前記可動サンローラ素子の外周面と前記入力軸の外周面に摺動可能なローディングディスクを有し、
前記可動サンローラ素子の軸方向外側端面と、前記軸方向外側端面に対面する前記ローディングディスクの片側端面との間に、トラクション油の供給によって、前記可動サンローラ素子を前記固定サンローラ素子に接近させる軸方向力を発生する主油室が形成され、
前記可動サンローラ素子と前記固定サンローラ素子との間に、トラクション油が供給され、前記入力軸の回転によって前記主油室に発生する遠心油圧を低減させる軸方向力を発生するキャンセラ油室が形成された
摩擦ローラ式減速機。
この摩擦ローラ式減速機によれば、主油室の油圧の増減により、可動サンローラ素子への軸方向力を増減する際、一対のサンローラ素子間のキャンセラ油室に生じる遠心油圧により、主油室に生じる遠心油圧が低減される。これにより、サンローラ素子、中間ローラ、リングローラの各転がり接触面に作用する法線力を、遠心油圧の影響を受けることなく変更でき、運転時のトラクション係数を限界トラクション係数に正確に近づけることができる。
【００７１】
（２）  前記主油室と前記キャンセラ油室は、前記入力軸の径方向外側に画成された円環状の空間である（１）に記載の摩擦ローラ式減速機。
この摩擦ローラ式減速機によれば、主油室とキャンセラ油室とが円周方向に連続した空間であるため、バランス良く軸方向力を発生でき、円周方向に分散配置された場合よりも大きな軸方向力が得られる。
【００７２】
（３）  前記入力軸は、前記主油室に連通する第１油路と、前記キャンセラ油室に連通する第２油路とが個別に設けられている（１）又は（２）に記載の摩擦ローラ式減速機。
この摩擦ローラ式減速機によれば、入力軸を通じて主油室とキャンセラ油室に油圧が付与されるため、油圧力を供給する油路が煩雑化しない。また、第１油路と第２油路が個別に設けられているため、第１油路の油圧によらず、キャンセラ油室の油圧を調整できる。
【００７３】
（４）  一対の前記サンローラ素子の一方は、前記対向側端面の外周部から他方の前記サンローラ素子に向けて円筒状の外径側円筒部が軸方向に突出して形成され、
前記キャンセラ油室は、前記外径側円筒部の内周面に、他方の前記サンローラ素子の外周面が内嵌されて画成された（１）〜（３）のいずれか一つに記載の摩擦ローラ式減速機。
この摩擦ローラ式減速機によれば、サンローラ素子同士の間にキャンセラ油室が画成されるため、スペース効率を高めた構成にでき、軸方向長さを短縮できる。
【００７４】
（５）  （１）〜（４）のいずれか一つに記載の摩擦ローラ式減速機と、
前記主油室と前記キャンセラ油室のそれぞれにトラクション油を個別に供給する油圧供給部と、
前記摩擦ローラ式減速機の運転条件を検出する運転条件検出部と、
検出された前記運転条件に応じて前記主油室の油圧を増減させる圧力制御部と、
を備える減速機ユニット。
この減速機ユニットによれば、ローラの軸方向移動に遠心油圧による影響が及ぶことを防止でき、また、運転条件によって限界トラクション係数が変化しても、この限界トラクション係数に運転時のトラクション係数を近づけることができる。これにより、動力伝達効率と耐久寿命を共に向上させることができる。
【００７５】
（６）  前記運転条件は、前記転がり接触面におけるトラクション油の温度、前記摩擦ローラ式減速機を通過する伝達トルクのいずれかを含む（５）に記載の減速機ユニット。
この減速機ユニットによれば、トラクション油の温度や伝達トルクの変動に応じて、常に適正なトラクション係数に調整できる。
【符号の説明】
【００７６】
１１  入力軸
１３  出力軸
１５  サンローラ
１７  リングローラ
１９  中間ローラ
１９ａ  転がり接触面
２４  ローディングディスク
３５  サンローラ素子（可動サンローラ素子）
３５ａ  転がり接触面
３７  サンローラ素子（固定サンローラ素子）
３７ａ  転がり接触面
４１，４３  対向側端面
５５  内側円筒部
５５ａ  内周面
７５  油温センサ
８９  主油室
９１  キャンセラ油室
９３  第１油路
９５  第２油路
９７  第１油圧供給部
９９  第２油圧供給部
１００  摩擦ローラ式減速機
２００  減速機ユニット
【図１】
2018189206.tif 000004
【図２】
2018189206.tif 000005
【図３】
2018189206.tif 000006
【図４】
2018189206.tif 000007
【図５】
2018189206.tif 000008
【図６】
2018189206.tif 000009
【図７】
2018189206.tif 000010
【図８】
2018189206.tif 000011
【図９】
2018189206.tif 000012
【図１０】
2018189206.tif 000013
【図１１】
2018189206.tif 000014